【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
通信ネットワークを変化する動作条件に適応させる方法であって、
（Ａ）  第１の通信機が、前記第１の通信機と第２の通信機との間に確立された通信チャネルの特性を測定するステップと、
（Ｂ）  前記第１の通信機が、前記通信チャネルの測定された特性に少なくとも部分的に基づいて現在の構成がもはや使用されるべきではないと決定するステップと、
（Ｃ）  前記第１の通信機が、新しい通信規格を選択するステップと、
（Ｄ）  前記第１の通信機が、前記新しい通信規格によってサポートされていない動作モードに従って、前記新しい通信規格を変更するパラメータ値を選択するステップと、
（Ｅ）  前記第１の通信機が、前記新しい通信規格と前記新しい通信規格を変更するパラメータ値とを含む、使用されるべき新しい構成を、前記第２の通信機に指示するステップと、
（Ｆ）  前記第１の通信機が、前記新しい構成に従って、前記第２の通信機とデータを送受信するステップと、
を含む方法。
【請求項２】
（Ｇ）  前記第１の通信機が、前記第２の通信機の存在を自動検出するステップを、さらに含む請求項１に記載の方法。
【請求項３】
ステップ（Ｃ）がさらに、前記新しい通信規格を選択する前に、前記第１の通信機が、各々前記第２の通信機によってサポートされる通信規格のセットを自動検出するステップ、を含む請求項１に記載の方法。
【請求項４】
ステップ（Ｄ）がさらに、前記パラメータ値を選択する前に、前記第１の通信機が、各々前記第２の通信機によってサポートされる通信規格の動作を変更するために使用可能なパラメータのセットを自動検出するステップ、を含む請求項３に記載の方法。
【請求項５】
ステップ（Ｃ）がさらに、前記新しい通信規格を選択する前に、前記第１の通信機が、前記第１の通信機および前記第２の通信機によってサポートされる通信規格のセットを生成するステップ、を含み、かつ、
ステップ（Ｄ）がさらに、前記パラメータ値を選択する前に、前記第１の通信機が、各々前記自動検出されたパラメータのうちの１つに対応し、前記第１の通信機および前記第２の通信機によってサポートされるパラメータ値のセットを生成するステップ、をさらに含む請求項４に記載の方法。
【請求項６】
ステップ（Ｆ）に応答して、前記第２の通信機が、前記第１の通信機に肯定応答を送信する請求項１に記載の方法。
【請求項７】
前記測定された特性は受信された信号の強度および再送要求の数を含む請求項１に記載の方法。
【請求項８】
前記第２の通信機は複数規格対応アクセスポイントである請求項１に記載の方法。
【請求項９】
ステップ（Ｃ）が、複数の通信規格を選択するステップを含み、かつ、
ステップ（Ｆ）が、前記複数の通信規格に従って、同時にデータを送受信するステップ、を含む請求項１に記載の方法。
【請求項１０】
前記新しい通信規格が、変調方式の第１のシンボル数を使用することを定義されており、かつ、
前記パラメータ値の少なくともひとつが、前記新しい通信規格のための前記変調方式の第２のシンボル数を示し、前記新しい通信規格は前記第２のシンボル数を使用することを定義されておらず、前記第２のシンボル数が前記新しい通信規格でサポートされていない、
ことを特徴とする請求項１に記載の方法。
【請求項１１】
コンピュータ上で実行された結果、通信ネットワークを変化する動作条件に適応させる方法を実行するよう前記コンピュータに指示するコンピュータ可読命令を格納するコンピュータ可読媒体であって、前記方法は、
（Ａ）  第１の通信機が、前記第１の通信機と第２の通信機との間に確立された通信チャネルの特性を測定するステップと、
（Ｂ）  前記第１の通信機が、前記通信チャネルの測定された特性の少なくとも部分的に基づいて、現在の構成がもはや使用されるべきではないと決定するステップと、
（Ｃ）  前記第１の通信機が、複数の通信規格に基づいて、前記第１の通信機から前記第２の通信機へ送信されたデータのパフォーマンス測定を収集するステップと、
（Ｄ）  前記パフォーマンス測定に基づいて、前記第１の通信機が、前記複数の通信規格のなかから新しい通信規格を選択するステップと、
（Ｅ）  前記第１の通信機が、前記新しい通信規格によってサポートされていない動作モードに従って、前記新しい通信規格を変更するパラメータ値を選択するステップと、
（Ｆ）  前記第１の通信機が、前記新しい通信規格と前記新しい通信規格を変更するパラメータ値とを含む、使用されるべき新しい構成を、前記第２の通信機に指示するステップと、
（Ｇ）  前記第１の通信機が、前記新しい構成に従って、前記第２の通信機とデータを送受信するステップと、
を含む、コンピュータ可読媒体。
【請求項１２】
（Ｈ）  前記第１の通信機が前記第２の通信機の存在を自動検出するステップを実行するための命令をさらに含む請求項１１に記載の方法のコンピュータ可読媒体。
【請求項１３】
ステップ（Ｄ）において、前記新しい通信規格を選択する前に、前記第１の通信機が、各々前記第２の通信機によってサポートされる通信規格のセットを自動検出するステップを実行するための命令をさらに含む請求項１１に記載の方法のコンピュータ可読媒体。
【請求項１４】
ステップ（Ｅ）において、前記パラメータ値を選択する前に、前記第１の通信機が、各々前記第２の通信機によってサポートされる通信規格の動作を変更するために使用可能なパラメータのセットを自動検出するステップを実行するための命令をさらに含む請求項１３に記載の方法のコンピュータ可読媒体。
【請求項１５】
ステップ（Ｄ）においてさらに、前記新しい通信規格を選択する前に、前記第１の通信機が、前記第１の通信機および前記第２の通信機によってサポートされる通信規格のセットを生成するステップを実行し、かつ、
ステップ（Ｅ）においてさらに、前記パラメータ値を選択する前に、前記第１の通信機が、各々前記自動検出されたパラメータのうちの１つに対応し、前記第１の通信機および前記第２の通信機によってサポートされるパラメータ値のセットを生成するステップを実行するための命令を含む請求項１４に記載の方法のコンピュータ可読媒体。
【請求項１６】
前記第１の通信機によってホスティングされるアプリケーションの帯域幅要件に基づいて、前記現在の構成がもはや使用されるべきではないと決定される請求項１１に記載の方法のコンピュータ可読媒体。
【請求項１７】
ステップ（Ｇ）に応答して、前記第２の通信機が前記第１の通信機に肯定応答を送信する請求項１１に記載の方法のコンピュータ可読媒体。
【請求項１８】
前記測定された特性は、受信された信号の強度および再送要求の数を含む請求項１１に記載の方法のコンピュータ可読媒体。
【請求項１９】
前記第２の通信機は、複数規格対応アクセスポイントである請求項１１に記載の方法のコンピュータ可読媒体。
【請求項２０】
コンピュータ上で実行された結果、第１の通信機が第２の通信機と通信チャネルを介して通信するように動作し、さまざまなパラメータ化された通信機規格をサポートするように再構成されることを可能にするソフトウェア定義の無線を実装させるように前記コンピュータに指示し、通信ネットワークを変化する動作条件に適応させる方法を実行するように前記コンピュータに指示する、コンピュータ可読命令を格納するコンピュータ可読媒体であって、前記方法が、
前記通信チャネルの特性を測定するステップと、
前記通信チャネルの測定された特性の少なくとも部分的に基づいて、現在の構成がもはや使用されるべきではないと決定するステップと、
前記第１の通信機および前記第２の通信機によってサポートされる通信規格のセットを自動検出するステップと、
自動検出された前記通信規格のセットのなかから、新しい通信規格を選択するステップと、
前記第１の通信機および前記第２の通信機によってサポートされ、前記新しい通信規格によってサポートされていない動作モードに従って前記新しい通信規格を変更する、パラメータ値のセットを自動検出するステップと、
自動検出された前記パラメータ値のセットのなかから、パラメータを選択するステップと、
選択された通信規格と選択されたパラメータ値とを含む、前記通信チャネルを介してデータを送受信するために使用される、新しい構成を、前記第２の通信機に指示するステップと、
を含む、コンピュータ可読媒体。